(57)【要約】      （修正有）【課題】蓋付容器を粘着テープで封止するのに、小型で簡単な装置で実現でき、作業効率の向上並びに作業時間の短縮化を図ることが可能なテープ貼り装置を提供する。【解決手段】２００はテープ貼り装置ＴＭ２を主に構成する貼着処理台であり、貼着処理台２００の上で蓋付容器が封止済み容器Ｐ４になる作業が処理される。ＴＭ２ａは一端部を、ＴＭ２ｂは他端部を示し、Ｐ３ａは第一方向をＰ３ｂは第二方向を示す。２１０は第一テープ装着台であり、２２０は第二テープ装着台であり、２１１は第一粘着テープを示し、２２１は第二粘着テープを示している。粘着テープ保持手段は第一アーム２３０の所定位置に設けられ、引出し粘着テープ２１１ａを、ゴムローラ２３１にスムーズに引導する作業を行い、粘着テープ保持手段は第二アーム２４０の所定位置に設けられ、引出し粘着テープ２２１ａを、ゴムローラ２４１にスムーズに引導する作業を行う。【選択図】図１１
0003147126.tif 000002
【実用新案登録請求の範囲】
【請求項１】
容器部と蓋部で形成されている食品用の蓋付容器の容器部と蓋部の合わせ部の周側に沿って先端部から後端部まで二つの巻粘着テープで封止する装置であり、前記蓋付容器を保持する手段を備えた処理台には巻粘着テープを前記先端部から前記後端部まで前記周側に沿って移動しながら引き出しが可能に保持する手段を備えた移動台を左右対称になるように２個設け、前記処理台の一端部には前記合わせ部先端部側である第一方向から前記合わせ部後端部側である第二方向まで第一粘着テープを装着した第一テープ移動台を移動させる第一ガイド部を設け、前記一端部に対向する前記処理台の他端部には前記第一方向から前記第二方向まで第二粘着テープを装着した第二テープ移動台を移動させる第二ガイド部を第一ガイド部と平行かつ左右対称になるよう設け、第一テープ移動台の下部には第一ガイド部を介する移動手段を設け、第二テープ移動台の下部には第二ガイド部を介する移動手段を設け、第一テープ移動台の前記第一方向側には前記テープ保持手段から引き出された粘着テープを誘導する第一アームを回動可能に設け、第二テープ移動台の前記第一方向側には前記テープ保持手段から引き出された粘着テープを誘導する第二アームを回動可能に設け、前記処理台の前記蓋付容器保持手段と第一テープ移動台及び第二テープ移動台との間に第一アーム及び第二アームを前記粘着テープを前記合わせ部の第一方向から第二方向まで当接させ貼着させる動作を誘導するように形成させたアーム制御カムＡを左右対称になるように２個設け、第一アームと第二アームの先端部には第一粘着テープと第二粘着テープの先端部を保持したり前記合わせ部の第一方向から第二方向まで当接しながら粘着テープを貼着するローラと貼着作業が終了した後の第一粘着テープと第二粘着テープの粘着面同士を張り合わせながら保持するブロックと張り合わされた粘着テープの領域の一部を切断するカッターを備え、前記処理台の第二方向側で第一ガイド部と第二ガイド部の間には前記貼着作業が終了した後に第一粘着テープと第二粘着テープの粘着面同士を張り合わせる動作を誘導するように形成させたアーム制御カムＢを左右対称になるように２個設けたことを特徴とする、蓋付容器のテープ貼り装置。
【請求項２】
容器部と蓋部で形成されている食品用の蓋付容器の容器部と蓋部の合わせ部の周側に沿って先端部から後端部まで二つの巻粘着テープで封止する装置であり、前記装置には前記蓋付容器を所定方向から所定方向に移動手段を介して移動させることで前記合わせ部の周側半分を第一粘着テープで先端部から後端部まで貼着処理させ前記合わせ部の周側残り半分を第二粘着テープで先端部から後端部まで貼着処理させることで前記蓋付容器合わせ部を封止する貼着処理台が備えてあり、前記貼着処理台の一端部には第一粘着テープを引き出しが可能に保持する手段を備えた装着台を設け一端部に対向する二端部には第二粘着テープを引き出しが可能に保持する手段を備えた装着台を夫々左右対称になるように設け、第一テープ装着台の先端部には前記テープ保持手段から引き出された粘着テープを引導する第一アームを可動手段を介して設けられ、第二テープ装着台の先端部には前記テープ保持手段から引き出された粘着テープを引導する第二アームを可動手段を介して設けられ、第一アームと第二アームは夫々左右対称になるように形成され夫々左右対称動作を行なうように装着され、第一アームの先端部には第一粘着テープの先端部を保持したり前記合わせ部の先端部から後端部まで当接しながら貼着させるローラと貼着作業が終了した後の第二粘着テープとの粘着面同士を張り合わせながら保持するブロックと張り合わされた両粘着テープの領域の一部を切断するカッターを備え、第二アームの先端部には第二粘着テープの先端部を保持したり前記合わせ部の先端部から後端部まで当接しながら粘着テープを貼着させるローラと貼着作業が終了した後の第一粘着テープとの粘着面同士を張り合わせるブロックと張り合わされた両粘着テープの領域の一部を切断するカッターを備えたことを特徴とする、蓋付容器のテープ貼り装置。
【考案の詳細な説明】
【技術分野】
【０００１】  本考案は、容器部と蓋部で形成されている食品用の蓋付容器の容器部と蓋部の合わせ部の周側に沿って先端部から後端部まで二つの巻粘着テープで封止する装置に関するものである。
【背景技術】
【０００２】  近年、コンビニエンスストアやスーパーストア等で販売される弁当や惣菜やサラダ等の食品を入れた容器には、主にプラスチック製の蓋付容器が使用されていて、容器部と蓋部で形成されている蓋付容器は、容器部の内部に上記食品を適量ずつ配分して入れた後に、蓋部を装着して、容器部と蓋部の合わせ部に粘着テープを用いて封緘した状態で販売されている。この様な封緘作業は従来は手作業により行っていたが、手作業による蓋付容器の封緘作業は、作業者による作業能力の相違や作業効率の問題などで、何とか機械化できないものかという指摘が現場サイトから出され、それに呼応する形で、蓋付容器の粘着テープを用いた封緘作業の機械化が成されるようになってきたが、容器部と蓋部の合わせ目が周側に形成される蓋付容器には適用できない場合が多いという指摘がなされている。【０００３】  そこで、以下のような開発案件が増加してきた。
例えば、本体と蓋体間の合わせ目が周側に形成される蓋付容器について、合わせ目に沿って連続して粘着テープを貼着して封止することができる包装用封テープ貼り装置の提供を課題とし、その解決手段として、蓋付容器が載せられる処理テーブルに対して昇降可能な押え板で、蓋付容器を処理テーブルとの間に挟持させ、粘着テープの先端部を保持した巻き付けローラを前進させて前記蓋付容器の合わせ目上に当接させ、該巻き付けローラを蓋付容器に当接させた状態で当該蓋付容器の周囲を１周を超えて回転させて、テープリールから引き出した粘着テープを連続して巻き付けた後、巻き付けローラを後退させることで蓋付容器と巻き付けローラの間に張り渡される領域で粘着テープをカッターで切断するテープ貼り装置の開発案件が知られている。（特開２００５−１５００３号公報を参照する）【０００４】  また、例えば、粘着テープによる蓋付容器の封緘作業の効率化並びに作業時間の短縮化を図ると共に、封緘された蓋付容器の見栄えを向上させることを課題とし、その解決手段として、コンベアの上面に載置した蓋付容器の上面に、第一アーム部材と第二のアーム部材に設けた吸着部の下面を対向させ、昇降部材を上記蓋付容器に向けて下降させ、上記各吸着部の下面を上記蓋付容器の上面に当接させ、これにより上記各吸着部の下面に吸着した粘着テープを上記蓋付容器の上面に貼り付け、上記両アーム部材の水平移動、上記昇降部材の下降により、上記粘着テープを上記蓋付容器の側面に撫で付けた後、上記粘着テープを切断することを特徴とする、テープ貼付装置の開発案件が知られている。（特開平１１−２９２０２８号公報を参照する）
【考案の開示】
【考案が解決しようとする課題】
【０００５】  ところが、特開２００５−１５００３号公報のテープ貼り装置の開発案件では、蓋付容器が載せられる処理テーブルに対して昇降可能な押え板で、蓋付容器を処理テーブルとの間に挟持させ、粘着テープの先端部を保持した巻き付けローラを前進させて当該蓋付容器の合わせ目上に当接させ、該巻き付けローラを蓋付容器に当接させた状態で蓋付容器の周囲を１周を超えて回転させて、テープリールから引き出した粘着テープを連続して巻き付けた後、巻き付けローラを後退させることで蓋付容器と巻き付けローラの間に張り渡される領域で粘着テープをカッターで切断することを特徴とするが、確かに当該蓋付容器の密封性は確保できるが、消費者が商品としての蓋付容器を購入し開封しようとする場合、そこに巻き付けられた粘着テープを剥がすのに容易ならざる作業を強いられ不快な思いをさせるという問題点を指摘されている。【０００６】  また、特開平１１−２９２０２８号公報のテープ貼付装置の開発案件では、コンベアの上面に載置した蓋付容器の上面に、第一アーム部材と第二のアーム部材に設けた吸着部の下面を対向させ、昇降部材を当該蓋付容器に向けて下降させ、各吸着部の下面を蓋付容器の上面に当接させ、これにより各吸着部の下面に吸着した粘着テープを当該蓋付容器の上面に貼り付け、両アーム部材の水平移動、昇降部材の下降により、粘着テープを当該蓋付容器の側面に撫で付けた後、上記粘着テープを切断することを特徴とするが、当該蓋付容器の密封性を確保するには装置が複雑で大型であるため、小規模な業者にとっては設置場所選定に問題があったり、コスト的な問題によって導入が容易でない、という問題点を指摘されている。【０００７】  本考案は、上記の課題を解決するために成されたものであり、容器部と蓋部で形成されている食品用の蓋付容器において、容器部と蓋部の合わせ部に、粘着テープを貼着して封止するのに、小型で簡単な装置で実現でき、かつ作業効率の向上並びに作業時間の短縮化を図ることが可能であり、さらに本考案の購買者が蓋付容器の粘着テープを剥離しようとする場合に容易にできるようにした、蓋付容器のテープ貼り装置の提供を目的とする。
【課題を解決するための手段】
【０００８】  課題を解決するための第一の手段は、容器部と蓋部で形成されている食品用の蓋付容器の容器部と蓋部の合わせ部の周側に沿って先端部から後端部まで二つの巻粘着テープで封止する装置であり、前記蓋付容器を保持する手段を備えた処理台には巻粘着テープを前記先端部から前記後端部まで前記周側に沿って移動しながら引き出しが可能に保持する手段を備えた移動台を左右対称になるように２個設け、前記処理台の一端部には前記合わせ部先端部側である第一方向から前記合わせ部後端部側である第二方向まで第一粘着テープを装着した第一テープ移動台を移動させる第一ガイド部を設け、前記一端部に対向する前記処理台の他端部には前記第一方向から前記第二方向まで第二粘着テープを装着した第二テープ移動台を移動させる第二ガイド部を第一ガイド部と平行かつ左右対称になるよう設け、第一テープ移動台の下部には第一ガイド部を介する移動手段を設け、第二テープ移動台の下部には第二ガイド部を介する移動手段を設け、第一テープ移動台の前記第一方向側には前記テープ保持手段から引き出された粘着テープを誘導する第ーアームを回動可能に設け、第二テープ移動台の前記第一方向側には前記テープ保持手段から引き出された粘着テープを誘導する第二アームを回動可能に設け、前記処理台の前記蓋付容器保持手段と第一テープ移動台及び第二テープ移動台との間に第一アーム及び第二アームを前記粘着テープを前記合わせ部の第一方向から第二方向まで当接させ貼着させる動作を誘導するように形成させたアーム制御カムＡを左右対称になるように２個設け、第一アームと第二アームの先端部には第一粘着テープと第二粘着テープの先端部を保持したり前記合わせ部の第一方向から第二方向まで当接しながら粘着テープを貼着するローラと貼着作業が終了した後の第一粘着テープと第二粘着テープの粘着面同士を張り合わせながら保持するブロックと張り合わされた粘着テープの領域の一部を切断するカッターを備え、前記処理台の第二方向側で第一ガイド部と第二ガイド部の間には前記貼着作業が終了した後に第一粘着テープと第二粘着テープの粘着面同士を張り合わせる動作を誘導するように形成させたアーム制御カムＢを左右対称になるように２個設けたことを特徴とする、蓋付容器のテープ貼り装置を提供することである。【０００９】  課題を解決するための第一の手段で示した食品用の蓋付容器に関しては、主に弁当用や惣菜用を想定しているが、食品用であれば何でも構わない。また、蓋付容器の素材に関しては合成樹脂製や紙製や木質系やこれらの単独タイプが組合せタイプであることを想定している。
課題を解決するための第一の手段で示した巻粘着テープに関しては、片面に粘着剤を塗布した粘着テープを巻き枠または巻軸を介してリール状にしたものであり、一般的に市販されているものの中から選択して用いればよい。
課題を解決するための第一の手段で示した前記蓋付容器を保持する手段に関しては、前記蓋付容器の合わせ部の封止作業中は前記処理台の所定の位置に固定され前記封止作業が終了した後には前記蓋付容器が前記処理台から脱着可能になるような手段であれば何を用いてもよく特に制限はないものとする。
課題を解決するための第一の手段で示した第一ガイド部及び第二ガイド部に関しては、前記処理台の一端部及び他端部の表面上に、棒状体、軸体、線体、などを選択して前記処理台の一端部及び他端部の表面に接触しないように設置または配設する手段でも良いし、前記処理台の一端部及び他端部の表面上に、棒状体、軸体、線体、凸状体、Ｔ字体、Ｉ字体、Ｕ字体、Ｏ字体、Ｈ字体、Ｌ字体、Ｍ字体、などを選択して固着または配着または形成させる手段でも良いし、前記処理台の一端部及び他端部の内部に、凹状、Ｖ字形状、Ｕ字形状、Ｗ字形状、溝状になるよう切り欠きを形成させても良い。【００１０】  課題を解決するための第一の手段で示した第一テープ移動台の下部に設け第一ガイド部を介する移動手段及び第二テープ移動台の下部に設け第二ガイド部を介する移動手段に関しては、前記処理台の一端部及び他端部の第一方向から第二方向まで移動可能な手段であれば何を用いてもよいが、上述した第一ガイド部及び第二ガイド部の選択によって摺動手段やベアリング手段や手動手段や電動手段や磁気作動手段や機械的作動手段や空気圧作動手段や油圧作動手段や軸運動手段などの中から選択して用いればよい。【００１１】  課題を解決するための第二の手段は、容器部と蓋部で形成されている食品用の蓋付容器の容器部と蓋部の合わせ部の周側に沿って先端部から後端部まで二つの巻粘着テープで封止する装置であり、前記装置には前記蓋付容器を所定方向から所定方向に移動手段を介して移動させることで前記合わせ部の周側半分を第一粘着テープで先端部から後端部まで貼着処理させ前記合わせ部の周側残り半分を第二粘着テープで先端部から後端部まで貼着処理させることで前記蓋付容器合わせ部を封止する貼着処理台が備えてあり、前記貼着処理台の一端部には第一粘着テープを引き出しが可能に保持する手段を備えた装着台を設け一端部に対向する二端部には第二粘着テープを引き出しが可能に保持する手段を備えた装着台を夫々左右対称になるように設け、第一テープ装着台の先端部には前記テープ保持手段から引き出された粘着テープを引導する第一アームを可動手段を介して設けられ、第二テープ装着台の先端部には前記テープ保持手段から引き出された粘着テープを引導する第二アームを可動手段を介して設けられ、第一アームと第二アームは夫々左右対称になるように形成され夫々左右対称動作を行なうように装着され、第一アームの先端部には第一粘着テープの先端部を保持したり前記合わせ部の先端部から後端部まで当接しながら貼着させるローラと貼着作業が終了した後の第二粘着テープとの粘着面同士を張り合わせながら保持するブロックと張り合わされた両粘着テープの領域の一部を切断するカッターを備え、第二アームの先端部には第二粘着テープの先端部を保持したり前記合わせ部の先端部から後端部まで当接しながら粘着テープを貼着させるローラと貼着作業が終了した後の第一粘着テープとの粘着面同士を張り合わせるブロックと張り合わされた両粘着テープの領域の一部を切断するカッターを備えたことを特徴とする、蓋付容器のテープ貼り装置を提供することである。【００１２】  課題を解決するための第二の手段で示した食品用の蓋付容器に関しては、主に弁当用や惣菜用を想定しているが、食品用であれば何でも構わない。また、蓋付容器の素材に関しては合成樹脂製や紙製や木質系やこれらの単独タイプか組合せタイプであることを想定している。
課題を解決するための第二の手段で示した巻粘着テープに関しては、片面に粘着剤を塗布した粘着テープを巻き枠または巻軸を介してリール状にしたものであり、一般的に市販されているものの中から選択して用いればよい。
課題を解決するための第二の手段で示した前記蓋付容器を前記貼着処理台の所定方向から所定方向に移動手段を介して移動させることに関しては、前記貼着処理台の前記蓋付容器が移動する範囲上にローラーコンベアを所定量配設する方法やボールベアリングを所定量配設する方法や手動ベルトコンベアを設置する方法や電動ベルトコンベアを設置する方法などから選択して用いればよいし、前記貼着処理台の前記蓋付容器が移動する範囲上を前記蓋付容器を手動で摺動させるようにしてもよい。【００１３】  課題を解決するための第二の手段で示した、第一テープ装着台及び第二テープ装着台の先端部には前記テープ保持手段から引き出された粘着テープを引導する第一アーム及び第二アームを可動手段を介して設けることに関しては、例えば、第一アームの先端部と第二アームの先端部が接触状態に、すなわち前記蓋付容器が第一アームの先端部と第二アームの先端部の間を通過していない状態の時には、第一アームの動作範囲が第一テープ装着台の先端部を第一テープ装着台側から第二テープ装着台側に向かって平行に移動可能または回動可能になっていればよく、また第二アームの動作範囲が第二テープ装着台の先端部を第二テープ装着台側から第一テープ装着台側に向かって平行に移動可能または回動可能になっていればよい。【００１４】  また例えば、第一アームの先端部と第二アームの先端部が開放状態に、すなわち前記蓋付容器が第一アームの先端部と第二アームの先端部の間を通過し始めた状態の時には、第一アームの動作範囲が第一テープ装着台の先端部を第二テープ装着台側から第一テープ装着台側に向かって前記蓋付容器の前記合わせ部の周側半分を第一粘着テープで前記合わせ部の先端部から後端部まで第一アームの先端部が当接する間の範囲に合わせて平行に移動可能または回動可能になっていればよい。また、第二アームの動作範囲が第二テープ装着台の先端部を第一テープ装着台側から第二テープ装着台側に向かって前記蓋付容器の前記合わせ部の残り周側半分を第二粘着テープで前記合わせ部の先端部から後端部まで第二アームの先端部が当接する間の範囲に合わせて平行に移動可能または回動可能になっていればよい。
【考案の効果】
【００１６】  本考案の蓋付容器のテープ貼り装置は、課題を解決するための第一の手段に示した技術的手段によっても、課題を解決するための第二の手段に示した技術的手段によっても、前記蓋付容器の前記合わせ部の周側半分を第一粘着テープで先端部から後端部まで貼着処理され前記合わせ部の周側残り半分を第二粘着テープで先端部から後端部まで貼着処理できるので、従来の１本の粘着テープで前記蓋付容器の前記合わせ部を一周させて貼着させるよりも蓋付容器の封止作業時間の短縮化を図ることができる。【００１７】  また、本考案の蓋付容器のテープ貼り装置で処理した蓋付容器は、課題を解決するための第一の手段に示した技術的手段によっても、課題を解決するための第二の手段に示した技術的手段によっても、前記蓋付容器の前記合わせ部の周側半分を第一粘着テープで先端部から後端部まで貼着処理され前記合わせ部の周側残り半分を第二粘着テープで先端部から後端部まで貼着処理することで、前記容器部合わせ部の先端部と後端部には、第一粘着テープと第二粘着テープの粘着面同士を張り合わせた部分が前記容器部合わせ部からはみ出した状態になっており、このはみ出した粘着テープの張り合わせ部分が、本考案処理された食品容器を購入した消費者が前記容器部合わせ部の貼着された粘着テープを剥がそうとするときのツマミとしての機能によって容易に剥がせるようになることで、消費者の支持を得ることができる。【００１８】  また、本考案の蓋付容器のテープ貼り装置は、以上説明したとおりのものであるが、従来の装置に比べて、構成する部品の数量が少なく、簡単な構造でも十分に蓋付容器の封止作業が行なえるので、上述した効果が期待できるコンパクトで軽量な蓋付容器のテープ貼り装置を提供できる。
【考案を実施するための最良の形態】
【００２０】  以下、本考案に係る蓋付容器のテープ貼り装置の一例に基づいて本考案を図１〜図１１に基づいて説明する。
図１は本考案の請求項１に係る蓋付容器のテープ貼り装置の動作状態を示す概略説明図であり、蓋付容器を装置内にセットした状態を示している。図２は本考案の請求項１に係る蓋付容器のテープ貼り装置の動作状態を示す概略説明図であり、蓋付容器の容器部と蓋部の合わせ部を二つの巻粘着テープで貼着作業を開始した状態を示している。図３は本考案の請求項１に係る蓋付容器のテープ貼り装置の動作状態を示す概略説明図であり、蓋付容器の合わせ部の二つの巻粘着テープによる貼着作業が終了した状態を示している。図４は本考案の請求項１に係る蓋付容器のテープ貼り装置の動作状態を示す概略説明図であり、合わせ部の封止作業が完了した蓋付容器を装置外に排出しようとしている状態を示している。
図５は本考案のテープ貼り装置による封止作業を実行する前の蓋付容器を示す側面図である。図６は本考案のテープ貼り装置による封止作業を実行する前の蓋付容器を示す平面図である。図７は本考案のテープ貼り装置による封止作業が実行された蓋付容器を示す側面図である。図８は本考案のテープ貼り装置による封止作業が実行された蓋付容器を示す平面図である。図９は本考案の請求項２に係る蓋付容器のテープ貼り装置の動作状態を示す概略説明図であり、蓋付容器を装置内にセットした状態を示している。図１０は本考案の請求項２に係る蓋付容器のテープ貼り装置の動作状態を示す概略説明図であり、蓋付容器の容器部と蓋部の合わせ部を二つの巻粘着テープで貼着作業を開始した状態を示している。図１１は本考案の請求項２に係る蓋付容器のテープ貼り装置の動作状態を示す概略説明図であり、蓋付容器の合わせ部の二つの巻粘着テープによる貼着作業が終了した状態を示している。
【実施例１】
【００２１】  図５から図８より、Ｐは食品用の蓋付容器であり容器部Ｐ１と蓋部Ｐ２で形成され、Ｐ３は容器部Ｐ１と蓋部Ｐ２の合わせ部であり、Ｐ３ａは合わせ部Ｐ３の先端部であり、Ｐ３ｂは合わせ部Ｐ３の後端部である。１１１ａは第一粘着テープから引き出された粘着テープであり、１２１ａは第二粘着テープから引き出された粘着テープであり、１１１ａ＋１２１ａは引出し粘着テープ１１１ａの粘着面と引出し粘着テープ１２１ａの粘着面とを張り合わせた後に一部を切断した後に形成された張合わせ部である。Ｐ４は合わせ部Ｐ３の先端部Ｐ３ａから後端部Ｐ３ｂまで周側に沿って、半周分を引出し粘着テープ１１１ａを用いて残り半周分を引出し粘着テープ１２１ａを用いて封止した後の蓋付容器を示している。【００２２】  図１から図８より、ＴＭ１は容器部Ｐ１と蓋部Ｐ２の合わせ部Ｐ３の周側に沿って先端部Ｐ３ａから後端部Ｐ３ｂまで二つの巻粘着テープを使用して封止するテープ貼り装置であり、１００はテープ貼り装置ＴＭ１を主に構成する処理台であり、処理台１００の上で蓋付容器Ｐが封止済み容器Ｐ４に変化する作業が処理される。ＴＭ１ａは処理台１００の一端部をＴＭ１ｂは処理台１００の他端部を示している。また、先端部Ｐ３ａは処理台１００の先端部の表示手段としての第一方向Ｐ３ａとして併用させるものとして、後端部Ｐ３ｂは処理台１００の後端部の表示手段としての第二方向Ｐ３ｂとして併用させるものとする。
次に、１０１と１０２は蓋付容器Ｐをテープ貼着作業時に処理台１００の所定位置で着脱可能に保持する保持手段であり、処理台１００の上部に先端部Ｐ３ａを下部には後端部Ｐ３ｂになるように保持する。保持手段１０１は一端部ＴＭ１ａ側に保持手段１０２は他端部ＴＭ１ｂ側に設けられる。
次に、１１０は第一テープ移動台であり、１２０は第二テープ移動台であり、第一テープ移動台１１０は一端部ＴＭ１ａ側に可動手段を介して設けられ、第二テープ移動台１２０は他端部ＴＭ１ｂ側に可動手段を介して設けられ、第一テープ移動台１１０の形状と第二テープ移動台１２０の形状は左右対称になるように設計されることが好ましい。１１１は第一テープ移動台１１０に引き出し可能及び着脱可能に装着される市販の巻粘着テープである第一粘着テープを示し、１２１は第二テープ移動台１２０に引き出し可能及び着脱可能に装着される市販の巻粘着テープである第二粘着テープを示している。１１２は第一粘着テープ１１１を回動可能及び着脱可能に保持する第一粘着テープ保持手段であり、１２２は第二粘着テープ１２１を回動可能及び着脱可能に保持する第二粘着テープ保持手段である。また、１１１ａは第一粘着テープ１１１から引き出された粘着テープであり、引出し粘着テープ１１１ａと表記し、１２１ａは第二粘着テープ１２１から引き出された粘着テープであり、引出し粘着テープ１２１ａと表記する。【００２３】  次に、Ｇ１は第一ガイド部であり、処理台１００の一端部ＴＭ１ａ側に、第一方向Ｐ３ａ側から第二方向Ｐ３ｂ側まで第一粘着テープ１１１を保持し引き出し作業をしながら第一テープ移動台１１０を移動させるために所定寸法で十分な強度を備えた棒状体として所定位置に設けられる。また、Ｇ２は第二ガイド部であり、処理台１００の他端部ＴＭ１ｂ側に、第一方向Ｐ３ａ側から第二方向Ｐ３ｂ側まで第二粘着テープ１２１を保持し引き出し作業をしながら第二テープ移動台１２０を移動させるために所定寸法で十分な強度を備えた棒状体として所定位置に設けられる。さらに、第一ガイド部Ｇ１と第二ガイド部Ｇ２は平行かつ左右対称になるように設けられる。また、第一テープ移動台１１０の下部には第一ガイド部Ｇ１を介する移動手段（図示せず）を設けてあり、第二テープ移動台１２０の下部には第二ガイド部Ｇ２を介する移動手段を設けてある。
次に、１３０は第一アームであり、第一テープ移動台１１０の第一方向Ｐ３ａ側に回動可能に設けられ、第一アーム１３０は第一粘着テープ保持手段１１２から引き出された引出し粘着テープ１１１ａを誘導する作業を行う。また、１４０は第二アームであり、第二テープ移動台１２０の第一方向Ｐ３ａ側に回動可能に設けられ、第二アーム１４０は第二粘着テープ保持手段１２２から引き出された引出し粘着テープ１２１ａを誘導する作業を行う。【００２４】  次に、ＣＡ１は第一アーム制御カムＡであり、保持手段１０１と第一テープ移動台１１０との間になるよう設けられ、第一アーム１３０に保持される引出し粘着テープ１１１ａを、蓋付容器Ｐの合わせ部Ｐ３に先端部Ｐ３ａから後端部Ｐ３ｂまで周側に沿って引出し粘着テープ１１１ａの粘着面を当接させ貼着させる動作を誘導するように設計し形成させてあり、ＣＡ２は第二アーム制御カムＡであり、保持手段１０２と第二テープ移動台１２０との間になるよう設けられ、第二アーム１４０に保持される引出し粘着テープ１２１ａを、蓋付容器Ｐの合わせ部Ｐ３に先端部Ｐ３ａから後端部Ｐ３ｂまで周側に沿って引出し粘着テープ１２１ａの粘着面を当接させ貼着させる動作を誘導するように設計し形成させてある。なお、第一アーム制御カムＡ（ＣＡ１）と第二アーム制御カムＡ（ＣＡ２）は左右対称になるように設けるものとする。
次に、１３１はゴムローラであり、第一アーム１３０の先端部に設けられ、引出し粘着テープ１１１ａを、蓋付容器Ｐの合わせ部Ｐ３に先端部Ｐ３ａから後端部Ｐ３ｂまで周側に沿って引出し粘着テープ１１１ａの粘着面を当接させ貼着させる動作をスムーズにさせ、また、１４１はゴムローラであり、第二アーム１４０の先端部に設けられ、引出し粘着テープ１２１ａを、蓋付容器Ｐの合わせ部Ｐ３に先端部Ｐ３ａから後端部Ｐ３ｂまで周側に沿って引出し粘着テープ１２１ａの粘着面を当接させ貼着させる動作をスムーズにさせるものである。
次に、１３２は押圧ブロックで第一アーム１３０の先端部に設けられ、１４２は押圧ブロックで第二アーム１４０の先端部に設けられ、押圧ブロック１３２と押圧ブロック１４２が同時に蓋付容器Ｐの合わせ部Ｐ３の先端部Ｐ３ａ及び後端部Ｐ３ｂにあるときに、引出し粘着テープ１１１ａの先端部の所定寸法分の粘着面と引出し粘着テープ１２１ａの先端部の所定寸法分の粘着面とを押圧し張り合わすような作業を行う。また、押圧ブロック１３２または押圧ブロック１４２には張り合わされた粘着テープの領域の一部を切断するカッター（図示せず）を備えているものとする。【００２５】  次に、ＣＢ１は第一アーム制御カムＢであり、処理台１００の後端部Ｐ３ｂ側で第一ガイド部Ｇ１と第二ガイド部Ｇ２の間の一端部ＴＭ１ａ側に設けられ、第一アーム制御カムＡ（ＣＡ１）を介して第一アーム１３０に保持される引出し粘着テープ１１１ａにより蓋付容器Ｐの合わせ部Ｐ３の貼着作業が終了した後に、引出し粘着テープ１１１ａの粘着面に引出し粘着テープ１２１ａの粘着面を押圧し張り合わすような作業を誘導するように設計し形成させてあり、ＣＢ２は第二アーム制御カムＢであり、処理台１００の後端部Ｐ３ｂ側で第一ガイド部Ｇ１と第二ガイド部Ｇ２の間の他端部ＴＭ１ｂ側に設けられ、第二アーム制御カムＡ（ＣＡ２）を介して第二アーム１４０に保持される引出し粘着テープ１２１ａにより蓋付容器Ｐの合わせ部Ｐ３の貼着作業が終了した後に、引出し粘着テープ１２１ａの粘着面に引出し粘着テープ１１１ａの粘着面を押圧し張り合わすような作業を誘導するように設計し形成させてある。なお、第一アーム制御カムＢ（ＣＢ１）と第二アーム制御カムＢ（ＣＢ２）は左右対称になるように設けるものとする。なお、１１１ａ＋１２１ａは引出し粘着テープ１１１ａの粘着面と引出し粘着テープ１２１ａの粘着面とを第一アーム制御カムＢ（ＣＢ１）と第二アーム制御カムＢ（ＣＢ２）の作用によって張り合わされた後の領域の一部を切断した後に形成された張合わせ部である。
【実施例２】
【００２６】  図１から図８を用いて、実施例１のテープ貼り装置ＴＭ１により本考案実施前の状態である蓋付容器Ｐ（図５と図６を参照）が本考案実施後である封止容器Ｐ４（図７と図８を参照）になるまでの作動状態を説明する。
図１は、蓋付容器Ｐ（図５と図６も参照）を保持手段１０１と保持手段１０２によって処理台１００の上で固定した状態を示していて、押圧ブロック１３２と押圧ブロック１４２との間には引出し粘着テープ１１１ａの粘着面と引出し粘着テープ１２１ａの粘着面とで張り合わされた形成物が生じている。さらに、固定された蓋付容器Ｐの合わせ部Ｐ３の先端部Ｐ３ａに対して粘着テープを貼着しようとして、作業者が第一テープ移動台１１０と第二テープ移動台１２０を処理台１００の後端部でもある第二方向Ｐ３ｂの方向へ移動させようとしている状態を示している。
図２は、作業者が第一テープ移動台１１０と第二テープ移動台１２０を所定距離第二方向Ｐ３ｂの方向へ移動させたときに、まず固定されている蓋付容器Ｐの合わせ部Ｐ３の先端部Ｐ３ａに対して第一アーム１３０の先端部と第二アーム１４０の先端部が接触することで張合わせ部（１１１ａ＋１２１ａ）が貼着され、第一アーム１３０の先端部と第二アーム１４０が第二方向Ｐ３ｂの方向へ進行するにつれて第一アーム１３０に誘導された引出し粘着テープ１１１ａと第二アーム１４０に誘導された引出し粘着テープ１２１ａがそれぞれほぼ同時に蓋付容器Ｐの合わせ部Ｐ３の周側に沿って貼着している状態を示している。
図３は、作業者が第一テープ移動台１１０と第二テープ移動台１２０を所定距離第二方向Ｐ３ｂの方向へ移動させたときに、蓋付容器Ｐの合わせ部Ｐ３の後端部Ｐ３ｂに到達して引出し粘着テープ１１１ａと引出し粘着テープ１２１ａがそれぞれほぼ同時に貼着作業が終了して、この時の張り合わせ部分が所定の位置で第一アーム１３０の先端部または第二アーム１４０の先端部に設けられているカッターによって切断され張合わせ部（１１１ａ＋１２１ａ）が形成されることで、蓋付容器Ｐが封止済み容器Ｐ４に変化した状態、さらにこの時の押圧ブロック１３２と押圧ブロック１４２が接触している状態の中では張合わせ部（１１１ａ＋１２１ａ）が新たに形成されている状態を示している。
図４は、作業者が第一テープ移動台１１０と第二テープ移動台１２０を処理台１００の貼着作業の開始ポイントまで移動させることで、保持手段１０１と保持手段１０２による保持状態が解除された封止済み容器Ｐ４（図７と図８も参照）を処理台１００の貼着作業スペースから排出しようとしている状態を示している。
【実施例３】
【００２７】  図５から図８より、Ｐは食品用の蓋付容器であり容器部Ｐ１と蓋部Ｐ２で形成され、Ｐ３は容器部Ｐ１と蓋部Ｐ２の合わせ部であり、Ｐ３ａは合わせ部Ｐ３の先端部であり、Ｐ３ｂは合わせ部Ｐ３の後端部である。２１１ａは第一粘着テープから引き出された粘着テープであり、２２１ａは第二粘着テープから引き出された粘着テープであり、２１１ａ＋２２１ａは引出し粘着テープ２１１ａの粘着面と引出し粘着テープ２２１ａの粘着面とを張り合わせた後に一部を切断した後に形成された張合わせ部である。Ｐ４は合わせ部Ｐ３の先端部Ｐ３ａから後端部Ｐ３ｂまで周側に沿って、半周分を引出し粘着テープ２１１ａを用いて残り半周分を引出し粘着テープ２２１ａを用いて封止した後の蓋付容器を示している。【００２８】  図５から図１１より、ＴＭ２は容器部Ｐ１と蓋部Ｐ２の合わせ部Ｐ３の周側に沿って先端部Ｐ３ａから後端部Ｐ３ｂまで二つの巻粘着テープを使用して封止するテープ貼り装置であり、２００はテープ貼り装置ＴＭ２を主に構成する貼着処理台であり、貼着処理台２００の上で蓋付容器Ｐが封止済み容器Ｐ４に変化する作業が処理される。ＴＭ２ａは貼着処理台２００の一端部を、ＴＭ２ｂは処理台２００の他端部を示している。また、先端部Ｐ３ａは処理台２００の先端部の表示手段としての第一方向Ｐ３ａとして併用させるものとして、後端部Ｐ３ｂは処理台２００の後端部の表示手段としての第二方向Ｐ３ｂとして併用させるものとする。
次に、２１０は第一テープ装着台であり、２２０は第二テープ装着台であり、第一テープ装着台２１０は一端部ＴＭ２ａ側に設けられ、第二テープ装着台２２０は他端部ＴＭ２ｂ側に設けられ、第一テープ装着台２１０の形状と第二テープ装着台２２０の形状は左右対称になるように設計されることが好ましい。２１１は第一テープ装着台２１０に引き出し可能及び着脱可能に装着される市販の巻粘着テープである第一粘着テープを示し、２２１は第二テープ装着台２２０に引き出し可能及び着脱可能に装着される市販の巻粘着テープである第二粘着テープを示している。２１２は第一粘着テープ２１１を回動可能及び着脱可能に保持する第一粘着テープ保持手段であり、２２２は第二粘着テープ２２１を回動可能及び着脱可能に保持する第二粘着テープ保持手段である。また、２１１ａは第一粘着テープ２１１から引き出された粘着テープであり、引出し粘着テープ２１１ａと表記し、２２１ａは第二粘着テープ２２１から引き出された粘着テープであり、引出し粘着テープ２２１ａと表記する。【００２９】  次に、２３０は第一アームであり、第一テープ装着台２１０の第一方向Ｐ３ａ側に可動手段を介して設けられ、２４０は第二アームであり、第二テープ装着台２２０の第一方向Ｐ３ａ側に可動手段を介して設けられる。また、第一アーム２３０の可動手段は第一テープ装着台２１０の第一方向Ｐ３ａ側の辺を第一粘着テープ２１１から粘着テープを引き出しながら一端部ＴＭ２ａ側と他端部ＴＭ２ｂ側の間を自在に移動する作業を実施することが可能であり、第二アーム２４０の可動手段は第二テープ装着台２２０の第一方向Ｐ３ａ側の辺を第二粘着テープ２２１から粘着テープを引き出しながら一端部ＴＭ２ａ側と他端部ＴＭ２ｂ側の間を自在に移動する作業を実施することが可能であるものとする。すなわち、第一アーム２３０は移動しながら第一粘着テープ２１１から引き出された引出し粘着テープ２１１ａを誘導する作業を行うことで、合わせ部Ｐ３の先端部Ｐ３ａから後端部Ｐ３ｂまで周側に沿って半周分を貼着することができ、第二アーム２４０は移動しながら第二粘着テープ２２１から引き出された引出し粘着テープ２２１ａを誘導する作業を行うことで、合わせ部Ｐ３の先端部Ｐ３ａから後端部Ｐ３ｂまで周側に沿って残り半周分を貼着することができる。また、第一アーム２３０と第二アーム２４０は夫々左右対称になるように形成され夫々左右対称動作を行なうように第一テープ装着台２１０と第二テープ装着台２２０に装着されるものとする。【００３０】  次に、２３１はゴムローラであり、第一アーム２３０の先端部に設けられ、引出し粘着テープ２１１ａを、蓋付容器Ｐの合わせ部Ｐ３に先端部Ｐ３ａから後端部Ｐ３ｂまで周側に沿って引出し粘着テープ２１１ａの粘着面を当接させ貼着させる動作をスムーズにさせ、また、２４１はゴムローラであり、第二アーム２４０の先端部に設けられ、引出し粘着テープ２２１ａを、蓋付容器Ｐの合わせ部Ｐ３に先端部Ｐ３ａから後端部Ｐ３ｂまで周側に沿って引出し粘着テープ２２１ａの粘着面を当接させ貼着させる動作をスムーズにさせるものである。
次に、２３２は押圧ブロックで第一アーム２３０の先端部に設けられ、２４２は押圧ブロックで第二アーム２４０の先端部に設けられ、押圧ブロック２３２と押圧ブロック２４２が同時に蓋付容器Ｐの合わせ部Ｐ３の先端部Ｐ３ａ及び後端部Ｐ３ｂにあるときに、引出し粘着テープ２１１ａの先端部の所定寸法分の粘着面と引出し粘着テープ２２１ａの先端部の所定寸法分の粘着面とを押圧し張り合わすような作業を行う。また、押圧ブロック２３２または押圧ブロック２４２には張り合わされた粘着テープの領域の一部を切断するカッター（図示せず）を備えているものとする。
次に、２３３は粘着テープ保持手段で第一アーム２３０の所定位置に設けられ、引出し粘着テープ２１１ａを、ゴムローラ２３１にスムーズに引導する作業を行い、２４３は粘着テープ保持手段で第二アーム２４０の所定位置に設けられ、引出し粘着テープ２２１ａを、ゴムローラ２４１にスムーズに引導する作業を行うものである。
【実施例４】
【００３１】  図５から図１１を用いて、実施例３のテープ貼り装置ＴＭ２により本考案実施前の状態である蓋付容器Ｐ（図５と図６を参照）が本考案実施後である封止容器Ｐ４（図７と図８を参照）になるまでの作動状態を説明する。
図９は、作業者が蓋付容器Ｐ（図５と図６も参照）を第一テープ装着台２１０と第二テープ装着台２２０が固定された貼着処理台２００の上で合わせ部Ｐ３の先端部Ｐ３ａに対して粘着テープを貼着しようとして、第二方向Ｐ３ｂの方向から第一方向Ｐ３ａへ移動させることで、蓋付容器Ｐの合わせ部Ｐ３の先端部Ｐ３ａを第一アーム２３０の先端部と第二アーム２４０の先端部に対して接触させようとしている状態を示している。また、押圧ブロック２３２と押圧ブロック２４２との間には引出し粘着テープ２１１ａの粘着面と引出し粘着テープ２２１ａの粘着面とで張り合わされた形成物が生じている状態も示している。
図１０は、作業者が蓋付容器Ｐの先端部Ｐ３ａを第一アーム２３０の先端部と第二アーム２４０の先端部とが接触して閉じているところに押し付けることで、第一アーム２３０の先端部と第二アーム２４０の先端部との接触状態が開放され、まず先端部Ｐ３ａに張合わせ部（２１１ａ＋２２１ａ）が貼着され、次に先端部から引導される引出し粘着テープ２１１ａを引きだしながら第一アーム２３０が一端部ＴＭ２ａ側へ移動することで引出し粘着テープ２１１ａの粘着部が合わせ部Ｐ３の周側に沿って貼着している状態を、同時に先端部から引導される引出し粘着テープ２２１ａを引きだしながら第二アーム２４０が他端部ＴＭ２ｂ側へ移動することで引出し粘着テープ２２１ａの粘着部が合わせ部Ｐ３の周側に沿って貼着している状態を、それぞれ示している。
図１０は、蓋付容器Ｐの先端部Ｐ３ａを第一アーム２３０の先端部と第二アーム２４０の先端部とが後端部Ｐ３ｂに同時に到達して引出し粘着テープ１１１ａと引出し粘着テープ１２１ａが貼着作業が終了して、押圧ブロック２３２と押圧ブロック２４２が接触することで、この中で張合わせ部（２１１ａ＋２２１ａ）が形成され、所定の位置で第一アーム２３０の先端部または第二アーム２４０の先端部に設けられているカッターによって切断されることで、蓋付容器Ｐが封止済み容器Ｐ４に変化した状態を示している。【００３７】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３８】  本考案の蓋付容器のテープ貼り装置は、容器部と蓋部で形成されている食品用の蓋付容器の容器部と蓋部の合わせ部の周側に沿って先端部から後端部まで二つの巻粘着テープで封止する装置であり、本考案では蓋付容器が食品用を対象としているが、容器部と蓋部で形成されている蓋付容器であれば食品用でなくとも、例えば、穀類粉体、茶類、香辛料、調味料、加工水産物、乳製品、食用油脂、食用粉類、化学品、陶芸用材料、のり及び接着剤、工業用粉類、食品添加物用粉類、塗料、染料、顔料、印刷インキ、家庭用洗剤、業務用洗剤、工業用油、工業用油脂、燃料、建築用材料、肥料、農業用材料、などのような分野にも応用できるので産業上の利用可能性が極めて高いと判断できる。
【図面の簡単な説明】
【００３９】
【図１】本考案の請求項１に係る蓋付容器のテープ貼り装置の動作状態を示す概略説明図である。
【図２】本考案の請求項１に係る蓋付容器のテープ貼り装置の動作状態を示す概略説明図である。
【図３】本考案の請求項１に係る蓋付容器のテープ貼り装置の動作状態を示す概略説明図である。
【図４】本考案の請求項１に係る蓋付容器のテープ貼り装置の動作状態を示す概略説明図である。
【図５】本考案のテープ貼り装置による封止作業を実行する前の蓋付容器を示す側面図である。
【図６】本考案のテープ貼り装置による封止作業を実行する前の蓋付容器を示す平面図である。
【図７】本考案のテープ貼り装置による封止作業が実行された蓋付容器を示す側面図である。
【図８】本考案のテープ貼り装置による封止作業が実行された蓋付容器を示す平面図である。
【図９】本考案の請求項２に係る蓋付容器のテープ貼り装置の動作状態を示す概略説明図である。
【図１０】本考案の請求項２に係る蓋付容器のテープ貼り装置の動作状態を示す概略説明図である。
【図１１】本考案の請求項２に係る蓋付容器のテープ貼り装置の動作状態を示す概略説明図である。
【符号の説明】
【００４０】Ｐ：蓋付容器，Ｐ１：容器部，Ｐ２：蓋部，Ｐ３：合わせ部，
Ｐ３ａ：先端部，Ｐ３ｂ：後端部，１１１ａ：引出し粘着テープ，
１２１ａ：引出し粘着テープ，１１１ａ＋１２１ａ：張合わせ部，Ｐ４：封止済み容器
ＴＭ１：テープ貼り装置，１００：処理台，ＴＭ１ａ：一端部，
ＴＭ１ｂ：他端部，Ｐ３ａ：第一方向，Ｐ３ｂ：第二方向，１０１：保持手段
１０２：保持手段，１１０：第一テープ移動台，１２０：第二テープ移動台，
１１１：第一粘着テープ，１２１：第二粘着テープ，１１２：第一粘着テープ保持手段
１２２：第二粘着テープ保持手段，Ｇ１：第一ガイド部，Ｇ２：第二ガイド部，
１３０：第一アーム，１４０：第二アーム，ＣＡ１：第一アーム制御カムＡ，
ＣＡ２：第二アーム制御カムＡ，１３１：ゴムローラ，１４１：ゴムローラ，
１３２：押圧ブロック，１４２：押圧ブロック，ＣＢ１：第一アーム制御カムＢ，
ＣＢ２：第二アーム制御カムＢ，２１１ａ：引出し粘着テープ，
２２１ａ：引出し粘着テープ，２１１ａ＋２２１ａ：張合わせ部，
ＴＭ２：テープ貼り装置，２００：貼着処理台，ＴＭ２ａ：一端部，
ＴＭ２ｂ：他端部，２１０：第一テープ装着台，２２０：第二テープ装着台，
２１１：第一粘着テープ，２２１：第二粘着テープ，２１２：第一粘着テープ保持手段
２２２：第二粘着テープ保持手段，２３０：第一アーム，２４０：第二アーム，
２３１：ゴムローラ，２４１：ゴムローラ，２３２：押圧ブロック，
２４２：押圧ブロック，２３３：粘着テープ保持手段，２４３：粘着テープ保持手段，
【図１】
0003147126.tif 000003
【図２】
0003147126.tif 000004
【図３】
0003147126.tif 000005
【図４】
0003147126.tif 000006
【図５】
0003147126.tif 000007
【図６】
0003147126.tif 000008
【図７】
0003147126.tif 000009
【図８】
0003147126.tif 000010
【図９】
0003147126.tif 000011
【図１０】
0003147126.tif 000012
【図１１】
0003147126.tif 000013